【手続補正書】
【提出日】平成16年1月21日(2004.1.21)
【手続補正１】
【補正対象書類名】明細書
【補正対象項目名】全文
【補正方法】変更
【補正の内容】
【発明の名称】取引処理装置および自動改札機
【特許請求の範囲】
【請求項１】接触媒体と非接触媒体とを受付けて取引処理する取引処理装置であって、
上記受付けた非接触媒体のデータ処理が完了したか否かを検知する非接触媒体検知手段と、
上記非接触媒体検知手段が非接触媒体のデータ処理完了を検知したとき、接触媒体の処理を許可する許可手段を備えた
取引処理装置。
【請求項２】接触媒体と非接触媒体とを受付けて取引処理する取引処理装置であって、
上記受付けた接触媒体と非接触媒体とが対応付けられる関連データを少なくとも一方の媒体に記録する記録手段と、
上記受付けた接触媒体のデータ処理が完了したか否かを検知する接触媒体検知手段と、
上記受付けた非接触媒体のデータ処理が完了したか否かを検知する非接触媒体検知手段と、
いずれかの媒体に更新不良が発生したときに上記関連データから両媒体の対応をとって再取引を実行させる復旧手段とを備えた取引処理装置。
【請求項３】請求項１または２記載の接触媒体を磁気媒体で形成した取引処理装置。
【請求項４】請求項１、２または３記載の取引処理装置を改札処理に適用した自動改札機。
【発明の詳細な説明】
【０００１】
【発明の属する技術分野】
この発明は、例えば駅務の自動改札機に適用されるような取引処理装置に関し、さらに詳しくは磁気券、磁気カード、ＩＣカード等の接触媒体と、非接触プリペイドカード等の非接触媒体とを組合わせて使用するときの複数媒体のデータ処理を安定して行う取引処理装置および自動改札機に関する。
【０００２】
【従来の技術】
以下、自動改札機を例にとって説明すると、近年、磁気ヘッドに磁気乗車券が接触してデータ処理する接触式乗車券と非接触に通信してデータ処理する非接触式乗車券との両券を１台で共通してデータ処理する共用処理機能を備えた自動改札機が知られている。
【０００３】
この場合、１人の改札客が接触式乗車券と非接触式乗車券とを組合せて改札利用するとき、両券共に適正な有効券と受付けが許可されても、引続きデータ処理される入出場データ処理、精算データ処理等のデータ更新時に、改札客に伴って不安定に移動しながらデータ更新される非接触式乗車券が通信エリアから外れてデータ更新できなくなることがあった。特に、これは異種券の受付け順序に左右されやすく、非接触式乗車券を先に受付けたときは、この非接触乗車券が通信エリアから外れやすい傾向にあった。また、非接触式乗車券の更新完了後に接触式乗車券の更新不良が発生したときは、非接触式乗車券だけが更新されて未更新の接触式乗車券が生じてしまい、このような場合は次回使用時に不正券として取扱われる恐れがあり、複数枚利用時の未更新処理の発生を解消した完全な改札処理の開発が望まれていた。
【０００４】
【発明が解決しようとする課題】
そこでこの発明は、接触媒体と非接触媒体との異種類の媒体を組合せて取引処理するとき、異種類の媒体の受付け順序に拘らず安定したデータ処理が行え、又は乗車券番号等の特定データを非接触媒体に記録して取引開始することにより媒体との対応を的確にとって安定したデータ処理を行うことができる取引処理装置および自動改札機の提供を目的とする。
【０００５】
【課題を解決するための手段】
請求項１記載の発明は、接触媒体と非接触媒体とを受付けて取引処理する取引処理装置であって、上記受付けた非接触媒体のデータ処理が完了したか否かを検知する非接触媒体検知手段と、上記非接触媒体検知手段が非接触媒体のデータ処理完了を検知したとき、接触媒体の処理を許可する許可手段を備えたことを特徴とする。
【０００６】
請求項２記載の発明は、接触媒体と非接触媒体とを受付けて取引処理する取引処理装置であって、上記受付けた接触媒体と非接触媒体とが対応付けられる関連データを少なくとも一方の媒体に記録する記録手段と、上記受付けた接触媒体のデータ処理が完了したか否かを検知する接触媒体検知手段と、上記受付けた非接触媒体のデータ処理が完了したか否かを検知する非接触媒体検知手段と、いずれかの媒体に更新不良が発生したときに上記関連データから両媒体の対応をとって再取引を実行させる復旧手段とを備えたことを特徴とする。
【０００７】
請求項３記載の発明は、接触媒体と非接触媒体とを受付けて取引処理する取引処理装置であって、上記接触媒体を磁気媒体で形成して取引処理することを特徴とする。
【０００８】
請求項４記載の発明は、接触媒体と非接触媒体とを受付けて取引処理する取引処理装置を改札処理に適用した自動改札機であることを特徴とする。
【０００９】
【作用】
この発明によれば、接触媒体と非接触媒体とを受付けて取引処理するとき、先に非接触媒体のデータ処理を行い、このデータ処理完了を非接触媒体検知手段が検知することに基づいて許可手段が次の接触媒体のデータ処理を許可する。
【００１０】
また、接触媒体のデータ処理を行い、このデータ処理完了を接触媒体検知手段が検知し、非接触媒体のデータ処理を行い、このデータ処理完了を非接触媒体検知手段が検知し、接触媒体と非接触媒体のいずれかに更新不良が発生したときに、関連データから両媒体の対応をとって復旧手段で再取引を実行する。
【００１１】
また、取引処理装置で接触媒体と非接触媒体との異種媒体を組合せて取引処理するとき、磁気データによってデータ更新する磁気媒体を接触媒体に用いて取引処理する。
【００１２】
また、取引処理装置を自動改札機に適用して乗車券としての接触媒体および非接触媒体を改札処理する。
【００１３】
【発明の効果】
この結果、接触媒体と非接触媒体との複数の異種媒体を組合せて取引処理するとき、非接触媒体のデータ処理が完了してから接触媒体をデータ処理する構成のため、媒体毎に確実にデータ処理が完結し、異種類の媒体の受付け順序に拘らず安定したデータ処理が行える。
【００１４】
また、１人分の複数媒体を受付けたとき、そのときの関連データを一方または双方の媒体に記録して取引開始すれば、各媒体との対応を的確にとることができる。このため、自動改札機のように複数人の顧客が連続して改札するときの前客利用媒体、次客利用媒体との媒体の混同を確実に区分して混同回避できる他、媒体に更新不良が発生した時には関連データから正確に対応をとって対処できるため、未更新等の更新不良媒体の発生を正確に検知して更新不良媒体の継続使用を完全に阻止でき、信頼性の高い取引利用が図れる。
【００１５】
【実施例】
この発明の一実施例を以下図面に基づいて詳述する。
図１は鉄道の改札口に設置される自動改札機の外観図を示し、この自動改札機は改札機本体１１の前後に改札利用客の通行を制御する開閉扉１２，１２を備え、改札機本体の上面前後位置に券投入口１３と券放出口１４を開口し、また券投入口側の上面には非接触処理部１５を配設し、券放出口側の上面には改札利用を表示案内する改札表示器１６を配設している。
【００１６】
そして、この自動改札機には乗車データを磁気記録した磁気券Ｔ1 と、乗車データを非接触通信許容して記録した非接触券Ｔ2 との２種類の券Ｔ1 ，Ｔ2 が乗車券として改札利用され、改札時に１枚の券で料金不足のときは、もう１枚の同種類あるいは異種類の合計２枚の券を組合せて複合改札許容している。
【００１７】
図２は自動改札機の制御回路ブロック図を示し、ＣＰＵ２１はＲＯＭ２２に格納されたプログラムに沿って各回路装置を制御し、その制御データをＲＡＭ２３で読出し可能に記憶する。
【００１８】
磁気処理部２４は、券投入口１３に投入された磁気券Ｔ1 を内部の磁気ヘッドの位置に導いたとき、ここで磁気券Ｔ1 と接触対応して記録されている磁気データを読取り、またこの読取った磁気データに基づいて乗車利用内容の更新データを磁気券Ｔ1 に記録する。
【００１９】
非接触処理部１５は、非接触アンテナを介して改札機本体１１の上方空間部に非接触券Ｔ2 と交信許容する通信エリアを出力し、この通信エリアに改札利用客が差出した非接触券Ｔ2 が入ったとき、非接触券Ｔ2 に記録された非接触乗車データを読取り、この読取った乗車データに基づいて乗車利用内容の更新データを非接触券Ｔ2 に記録する。
【００２０】
通行検知センサＳは、改札通路を通行する改札利用客を検知し、またその通行状態を確実に検知する。
券搬送部２５は、券投入口１３に投入された磁気券Ｔ1 を内部の磁気ヘッド接触対応位置まで導き、またこの磁気券Ｔ1 を磁気処理後に券放出口１４へと放出する。
【００２１】
また、印刷処理部２６は磁気券Ｔ1 に乗車データを印刷し、扉開閉部２７は改札時に読取った乗車券データに応じて開閉扉１２を開閉制御して改札許容、規制する。
【００２２】
タイマＴは、規定の改札処理時間およひ再改札動作させたときの再改札待機時間等を計時する。
【００２３】
ところで、ＣＰＵ２１は磁気券Ｔ1 と非接触券Ｔ2 との複数の異種券を組合せて取引処理するとき、非接触券Ｔ2 のデータ処理が完了してから磁気券Ｔ1 をデータ処理するように設定している。このため、券毎に確実にデータ処理が完結し、異種類の券の受付け順序に拘らず安定したデータ処理が行える。
【００２４】
例えば、最初に非接触券Ｔ2 のデータ処理を完了してから次の券をデータ処理する場合、
（１）非接触券Ｔ2 のデータ処理が完了するまで磁気券Ｔ1 を改札機本体１１内に待機させて、１枚ずつデータ処理を完結させる。
（２）非接触券Ｔ2 のデータ処理が完了するまで券投入口１３のシャッタを閉じて、次客の磁気券の投入を阻止する。
（３）非接触券Ｔ2 のデータ処理が完了するまで他の非接触券Ｔ2 との通信を規制する。
（４）非接触券Ｔ2 のデータ処理が完了してから磁気券Ｔ1 のデータ更新を行う。
【００２５】
このように、複数枚券の改札利用時には、券を１枚ずつ確実にデータ処理するため、未更新処理を完全に解消したデータ更新を行うことができる。
【００２６】
また、１人分の乗車利用する複数枚の券を受付けたとき、そのときの乗車券番号等の関連データを券に記録して改札を行えば、複数枚利用した各券との対応がとれ、複数枚券の管理性能が向上する。
【００２７】
例えば、改札時に一方の券に更新不良が発生した時には、関連データから正確に対応をとって再改札を促す等の復旧対策を施すことができるため、その時点で全券の改札処理を完結させることができ、乗車データ未更新等の更新不良券の不適な継続使用を完全に阻止できる。このため、常に有効券として取扱われ、更新不良のために次回使用時に改札規制されるような不具合が完全に解消される。
【００２８】
このように構成された自動改札機の複数枚券利用した改札処理動作を図３および図４のフローチャートを参照して説明する。
今、改札利用客が磁気券Ｔ1 を券投入口１３に投入して改札利用したとき、投入された磁気券Ｔ1 は磁気処理部２４で乗車データの有効性が読取られ（ステップｎ1 ）、
このとき、１枚の磁気券Ｔ1 だけでは料金不足と判定した場合は（ステップｎ2 ：ＹＥＳ）、もう１枚券が必要な旨を表示案内等によって要請し（ステップｎ3 ）、２枚目も磁気券Ｔ1 が投入された場合は（ステップｎ4 ：ＹＥＳ）、
ＣＰＵ２１が両券で改札有効か否かを判定し、有効であれば（ステップｎ5 ：ＹＥＳ）、両磁気券Ｔ1 ，Ｔ1 に乗車利用に応じた更新データを記録して（ステップｎ6 ）券放出口１４に放出し、これと同時に開閉扉１２を開口して改札利用客の通行を許容する（ステップｎ7 ）。
また、最初に投入した１枚の磁気券Ｔ1 で改札可能であれば（ステップｎ2 ：ＮＯ）、同券だけで改札許容する（ステップｎ6 〜ｎ7 ）。
【００２９】
また、２枚の磁気券Ｔ1 ，Ｔ1 を用いても料金不足であったり、適用外の使用不可券であれば（ステップｎ5 ：ＮＯ）、その旨を報知して改札規制する（ステップｎ8 ）。
【００３０】
１枚目の磁気券Ｔ1 に続いて２枚目に異種類の非接触券Ｔ2 が改札利用された場合は（ステップｎ4 ：ＮＯ  〜  ステップｎ9 ：ＹＥＳ）、ＣＰＵ２１が両券で改札有効か否かを判定し、無効であれば（ステップｎ10：ＮＯ）改札利用客の通行を規制し（ステップｎ8 ）、
有効であれば（ステップｎ10：ＹＥＳ）、相互に関連する乗車券番号等の関連データを記録し、さらに同非接触券Ｔ2 の乗車利用データを更新処理し（ステップｎ11）、非接触券Ｔ2 の更新が完了すれば（ステップｎ12：ＮＯ）、続いて磁気券Ｔ1 の乗車利用データを更新して（ステップｎ6 ）両券での改札を許容する（ステップｎ7 ）。
この際、磁気券Ｔ1 に更新不良が発生したときは、関連データから両券の対応をとって再改札を実行させて適正な改札処理を確実に完結させる。
【００３１】
このとき、非接触券Ｔ2 との通信が不十分でデータ処理が完結しなければ（ステップｎ12：ＹＥＳ）、未更新処理状態のため非接触券Ｔ2 を通信エリアに近付ける等の再通信操作を実行するように改札利用客に報知案内し（ステップｎ13）、
このとき、一定時間経過しても再交信されない場合は（ステップｎ14：ＹＥＳ）、改札無効と判定して改札規制する（ステップｎ15）。
【００３２】
次に、１枚目に非接触券Ｔ2 が改札利用されたときは（ステップｎ1 ：ＮＯ）、その非接触券Ｔ2 は非接触処理部１５で乗車データの有効性が読取られ（ステップｎ16）、
このとき、１枚の非接触券Ｔ2 だけでは料金不足と判定した場合は（ステップｎ17：ＹＥＳ）、この非接触券Ｔ2 に乗車券番号等の関連データを記録し、もう１枚券が必要な旨を表示案内等によって改札利用客に要請し（ステップｎ18）、
１枚目の非接触券Ｔ2 に続いて２枚目に異種類の磁気券Ｔ1 が改札利用された場合は（ステップｎ19：ＮＯ）、ＣＰＵ２１が両券で改札有効か否かを判定し、無効であれば（ステップｎ10：ＮＯ）改札利用客の通行を規制し（ステップｎ8 ）、有効であれば（ステップｎ10：ＹＥＳ）、非接触券Ｔ2 の乗車利用データを更新処理し（ステップｎ11）、非接触券Ｔ2 の更新が完了すれば（ステップｎ12：ＮＯ）、続いて磁気券Ｔ1 の乗車利用データを更新して（ステップｎ6 ）両券での改札を許容する（ステップｎ7 ）。
このとき、非接触券Ｔ2 との通信が不十分でデータ処理が完結しなければ（ステップｎ12：ＹＥＳ）、未更新処理状態のため非接触券Ｔ2 を通信エリアに近付ける等の再通信操作を実行するように改札利用客に報知案内し（ステップｎ13）、一定時間経過しても再交信されない場合は（ステップｎ14：ＹＥＳ）、改札無効と判定して改札規制する（ステップｎ15）。
【００３３】
これに対し、２枚目も非接触券Ｔ2 が投入された場合は（ステップｎ19：ＹＥＳ  〜  ｎ20：ＹＥＳ）、
両券で改札有効か否かを判定し、無効であれば（ステップｎ21：ＮＯ）改札規制し（ステップn15）、有効であれば（ステップｎ21：ＹＥＳ）、両非接触券Ｔ2 ，Ｔ2 に相互に関連する乗車券番号等の関連データを記録し、さらに同券Ｔ2 に更新データを記録し（ステップｎ22）、非接触の更新完了すれば（ステップｎ23：ＮＯ）、両券での改札を許容する（ステップｎ27）。
【００３４】
このとき、非接触券Ｔ2 との通信が不十分でデータ処理が完結しなければ（ステップｎ23：ＹＥＳ）、未更新処理状態のため非接触券Ｔ2 を通信エリアに近付ける等の再通信操作を実行するように改札利用客に報知案内し（ステップｎ24）、
このとき、一定時間経過しても、再交信されない場合は（ステップｎ25：ＹＥＳ）、改札無効と判定して改札規制する（ステップｎ15）。
【００３５】
また、１枚の非接触券Ｔ2 で改札可能であれば（ステップｎ17：ＮＯ）、同券１枚だけで改札許容する（ステップｎ26〜ｎ27）。
【００３６】
上述のように、磁気券と非接触券との複数の異種券を組合せて取引処理するとき、非接触券のデータ処理が完了してから磁気券をデータ処理する構成のため、券毎に確実にデータ処理が完結し、異種類の券の受付け順序に拘らず安定したデータ処理が行える。また、一人分の複数枚の乗車利用券を受付けたとき、そのときの関連データを券に記録して取引開始すれば、各券との対応を確実にとれるため、複数人の顧客が連続して改札するときの前客利用券、次客利用券との券の混同を確実に区分して混同回避できる他、券に更新不良が発生した時には関連データから正確に対応をとって対処できるため、未更新等の更新不良券の発生を正確に検知して不適な更新不良券の継続使用を完全に阻止でき、複数枚券の管理性能が向上し、信頼性の高い取引利用が図れる。
【００３７】
この発明と、上述の一実施例の構成との対応において、
この発明の取引処理装置は、自動改札機に対応し、
以下同様に、
接触媒体は、磁気券Ｔ1 に対応し、
非接触媒体は、非接触券Ｔ2 に対応し、
記録手段は、非接触処理部１５及び磁気処理部２４に対応し、
接触媒体検知手段、非接触媒体検知手段および許可手段は、ＣＰＵ２１に対応するも、この発明は上述の一実施例の構成のみに限定されるものではない。
【図面の簡単な説明】
【図１】この発明の自動改札機の外観斜視図。
【図２】この発明の自動改札機の制御回路ブロック図。
【図３】この発明の自動改札機の複数枚券利用した改札処理動作を示すフローチャート。
【図４】この発明の図３に続くフローチャート。
【符号の説明】
１１…改札機本体
１５…非接触処理部
２１…ＣＰＵ
２４…磁気処理部
Ｔ1 …磁気券
Ｔ2 …非接触券